【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
液体噴射装置に装着可能な液体供給ユニットであって、
前記液体噴射装置に前記液体供給ユニットを装着したときに底に位置する底壁部と、
前記底壁部に対向する上壁部と、
前記底壁部と前記上壁部とに交差する第１側壁部と、
前記底壁部と前記上壁部とに交差し、前記第１側壁部に対向する第２側壁部と、
前記底壁部と前記上壁部と前記第１側壁部と前記第２側壁部とに交差する第１端壁部と、
前記底壁部と前記上壁部と前記第１側壁部と前記第２側壁部とに交差し、前記第１端壁部に対向する第２端壁部と、
前記底壁部と前記上壁部と前記第１側壁部と前記第２側壁部と前記第１端壁部と前記第２端壁部とに囲まれた領域に配置される液体保持部材と、を備え、
前記第１側壁部は前記第１端壁部から前記第２端壁部に向かう第１方向に並ぶ第１部分と第２部分とを有し、
前記第１部分が占める前記第１側壁部の外面は、
前記上壁部よりも前記底壁部の近くに、前記底壁部に対し実質的に垂直となる第１領域と、
前記底壁部よりも前記上壁部の近くに、前記底壁部に対し傾斜する第２領域と、を有し、
前記第２部分は前記底壁部に対し傾斜する、液体供給ユニット。
【請求項２】
請求項１に記載の液体供給ユニットであって、
前記第１部分が占める前記第１側壁部の外面は、前記第１領域と前記第２領域との間に位置する第３領域を有し、
前記第３領域における壁の厚みは前記第１領域における壁の厚みおよび前記第２領域における壁の厚みより薄い、液体供給ユニット。
【請求項３】
請求項１または請求項２に記載の液体供給ユニットであって、
前記第２側壁部の前記第１側壁部に対向する内壁面は前記液体保持部材を均一の角度で圧縮できるよう傾斜形成されている、液体供給ユニット。
【請求項４】
請求項１から請求項３のいずれか一項に記載の液体供給ユニットであって、
前記第２側壁部の前記第１側壁部に対向する内面は平面である、液体供給ユニット。
【請求項５】
請求項１から請求項４のいずれか一項に記載の液体供給ユニットであって、
前記底壁部に液体供給孔が形成され、
前記上壁部から前記底壁部に向かう方向に平面視したとき、前記液体供給孔は前記第２部分と前記第２側壁部との間に位置する、液体供給ユニット。
【請求項６】
請求項１から請求項５のいずれか一項に記載の液体供給ユニットであって、
前記第１方向において、前記第１部分の幅より前記第２部分の幅が広い、液体供給ユニット。
【請求項７】
請求項１から請求項６のいずれか一項に記載の液体供給ユニットであって、
前記第２部分の前記底壁部に対してなす角は、前記第２領域の前記底壁部に対してなす角より大きい、液体供給ユニット。
【請求項８】
請求項１から請求項６のいずれか一項に記載の液体供給ユニットであって、
前記第２部分は、前記上壁部の側で前記底壁部に対してなす角が前記第２領域が前記底壁部に対してなす角と等しくされ、前記第２領域と前記第１方向に連続して形成されている、液体供給ユニット。
【請求項９】
請求項１から請求項８のいずれか一項に記載の液体供給ユニットであって、
前記第１側壁部は前記第１方向に前記第１部分と前記第２部分と並ぶ第３部分とを有し、
前記第１方向において前記第２部分は前記第１部分と前記第３部分との間に位置し、
前記第３部分が占める前記第１側壁部の外面は、
前記上壁部よりも前記底壁部の近くに、前記底壁部に対し実質的に垂直となる第４領域を有する、液体供給ユニット。
【請求項１０】
請求項９に記載の液体供給ユニットであって、
液体導入部を有するヘッドユニットと、電極を有するキャリッジユニットとを備える前記液体噴射装置に装着可能であり、
前記第１端壁部には前記ヘッドユニットに係合可能な係合部が設けられ、
前記第２端壁部には前記キャリッジユニットに電気的接続可能な端子が配置され、
前記第１部分は前記ヘッドユニットに当接可能であり、
前記第３部分の前記第４領域は前記キャリッジユニットに当接可能である、液体供給ユニット。
【請求項１１】
液体噴射装置に装着可能な液体供給ユニットであって、
前記液体噴射装置に前記液体供給ユニットを装着したときに底に位置する底壁部と、
前記底壁部に対向する上壁部と、
前記底壁部と前記上壁部とに交差する第１側壁部と、
前記底壁部と前記上壁部とに交差し、前記第１側壁部に対向する第２側壁部と、
前記底壁部と前記上壁部と前記第１側壁部と前記第２側壁部とに交差する第１端壁部と、
前記底壁部と前記上壁部と前記第１側壁部と前記第２側壁部とに交差し、前記第１端壁部に対向する第２端壁部と、
前記底壁部と前記上壁部と前記第１側壁部と前記第２側壁部と前記第１端壁部と前記第２端壁部とに囲まれた領域に配置される液体保持部材と、を備え、
前記第１側壁部は前記第１端壁部から前記第２端壁部に向かう第１方向に並ぶ第１部分と第２部分とを有し、
前記第１部分は前記底壁部に対し実質的に垂直となり、
前記第２部分は前記底壁部から前記上壁部に亘って傾斜する、液体供給ユニット。
【請求項１２】
請求項１１に記載の液体供給ユニットであって、
前記第１側壁部は前記第１方向に前記第１部分と前記第２部分と並ぶ第３部分とを有し、
前記第１方向において前記第２部分は前記第１部分と前記第３部分との間に位置し、
前記第３部分は前記底壁部に対し実質的に垂直となる、液体供給ユニット。
【手続補正２】
【補正対象書類名】明細書
【補正対象項目名】００１８
【補正方法】変更
【補正の内容】
【００１８】
（１１）本発明の他の形態によれば、液体を供給する液体供給ユニットが提供される。この液体供給ユニットは、液体噴射装置に装着可能な液体供給ユニットであって、前記液体噴射装置に前記液体供給ユニットを装着したときに底に位置する底壁部と、前記底壁部に対向する上壁部と、前記底壁部と前記上壁部とに交差する第１側壁部と、前記底壁部と前記上壁部とに交差し、前記第１側壁部に対向する第２側壁部と、前記底壁部と前記上壁部と前記第１側壁部と前記第２側壁部とに交差する第１端壁部と、前記底壁部と前記上壁部と前記第１側壁部と前記第２側壁部とに交差し、前記第１端壁部に対向する第２端壁部と、前記底壁部と前記上壁部と前記第１側壁部と前記第２側壁部と前記第１端壁部と前記第２端壁部とに囲まれた領域に配置される液体保持部材と、を備える。そして、前記第１側壁部は前記第１端壁部から前記第２端壁部に向かう第１方向に並ぶ第１部分と第２部分とを有し、前記第１部分は前記底壁部に対し実質的に垂直となり、前記第２部部から前記上壁部に亘って傾斜する。
【手続補正３】
【補正対象書類名】明細書
【補正対象項目名】００９８
【補正方法】変更
【補正の内容】
【００９８】
本実施形態のカートリッジ４は、図１３〜図１４に示すように、第２側壁部分４２５ｂの第２側壁領域４２５ｂ２が底壁４２２に対してなす角θ３を、第１側壁部分４２５ａの第２側壁領域４２５ａ２が底壁４２２に対してなす角θ２より大きくした。よって、次の利点がある。第２側壁領域４２５ａ２は、第１側壁部分４２５ａにおいて、底壁４２２から延びる第１側壁領域４２５ａ１に繋がって底壁４２２に対して傾斜し、第２側壁部分４２５ｂの第２側壁領域４２５ｂ２は、第１側壁部分４２５ａと上記の第１方向に並んで位置して底壁４２２からこの底壁４２２に対して傾斜する。そうすると、底壁４２２に対して第２側壁部分４２５ｂの第２側壁領域４２５ｂ２がなす角θ３（図１４参照）と、第１側壁部分４２５ａの第２側壁領域４２５ａ２がなす角θ２（図１３参照）とが同じであれば、蓋４０１における第１側壁部分４２５ａの周縁部と第２側壁部分４２５ｂの周縁部はずれてしまうことになる。これに対し、本実施形態のカートリッジ４では、底壁４２２に対して第２側壁領域４２５ｂ２のなす角θ３を第２側壁領域４２５ａ２のなす角θ２より大きくしたので、蓋４０１における第１側壁部分４２５ａの周縁部と第２側壁部分４２５ｂの周縁部とのズレを小さくできる。この結果、本実施形態のカートリッジ４によれば、蓋４０１における第２側壁部分４２５ｂの形状の単調化と、蓋４０１についてもその形状の単調化とを図ることができる。